(57)【要約】【課題】クレセントの回動位置を検出して外部へ送信可能なクレセント錠を目立ちにくくする。【解決手段】台座１に対するクレセント２の回動位置を検出する検出回路３と、検出回路３による検出結果に対応の所定信号を無線送信する無線チップ４と、電池５と、クレセント１に取り付けられたカバー６と備える。検出回路３、無線チップ４及び電池５は、クレセント１とカバー６によって形成される空間に収容する。【選択図】図１
2020176465.tif 000002
【特許請求の範囲】
【請求項１】
台座と、前記台座に対して回動可能に連結されたクレセントと、を備え、
前記クレセントが、当該クレセントの回動中心の周囲に形成された基盤部と、前記基盤部よりも反台座側に突き出た掛け部と、前記基盤部よりも径方向に突き出た操作レバー部とを有するクレセント錠において、
前記台座に対する前記クレセントの回動位置を検出する検出回路と、前記検出回路による検出結果に対応の所定信号を無線送信する無線チップと、前記無線チップの電源となる電池と、前記クレセントに取り付けられたカバーと、をさらに備え、
前記検出回路、前記無線チップ及び前記電池が、前記クレセントと前記カバーによって形成される空間に収容されていることを特徴とするクレセント錠。
【請求項２】
前記検出回路、前記無線チップ及び前記電池が、前記基盤部と前記カバーによって形成される空間に収容されている請求項１に記載のクレセント錠。
【請求項３】
前記無線チップが、９２０ＭＨｚ帯の電波で通信するものである請求項１又は２に記載のクレセント錠。
【請求項４】
前記台座に永久磁石が固定されており、前記検出回路が、前記クレセントを所定の回動位置にしたときに前記永久磁石と対向する磁気センサ部を有し、前記検出回路が、前記磁気センサ部で感知した前記永久磁石の磁界に基づいて前記所定の回動位置を検出する請求項１から３のいずれか１項に記載のクレセント錠。
【請求項５】
前記台座に導通部材が固定されており、前記検出回路が、前記クレセントを所定の回動位置にしたときに前記導通部材との接触によって閉成状態になることに基づいて当該所定の回動位置を検出する請求項１から３のいずれか１項に記載のクレセント錠。
【請求項６】
前記台座に前記基盤部側へ突き出た突起が設けられており、前記検出回路が、前記クレセントを所定の回動位置にしたときに前記突起との接触によって作動するスイッチの開閉切り替えに基づいて当該所定の回動位置を検出する請求項１から３のいずれか１項に記載のクレセント錠。
【請求項７】
前記カバーが、前記電池を径方向に出し入れ可能な交換口部を有するカバー本体と、前記交換口部を開閉する蓋とを有し、前記カバー本体と前記電池との間に前記無線チップ用のアンテナが配置されている請求項２に記載のクレセント錠。
【発明の詳細な説明】
【技術分野】
【０００１】
この発明は、クレセント錠に関し、特に、クレセントの台座に対する回動位置を検出し、その検出結果を送信することができるものに関する。
【背景技術】
【０００２】
クレセント錠は、窓、引き戸等を締める用途で広く利用されている。クレセント錠は、窓枠等に固定される台座と、台座に対して回動可能に連結されたクレセントとを有する。一般に、クレセントは、その回動中心の周囲に形成された基盤部と、その基盤部よりも反台座側に突き出た掛け部と、その基盤部よりも径方向に突き出た操作レバー部とを有する。前述の窓枠等を締める相手側となる窓枠、壁等には、クレセントの掛け部を引っ掛けるクレセント受が固定される。クレセントは、操作レバー部を指で摘まんで回動させられる。一般に、操作レバー部を上向きにすると、掛け部がクレセント受けに引っ掛かるように使用される。
【０００３】
従来、クレセント錠の施解錠状態を監視するため、台座に対するクレセントの位置を検出し、その検出結果を通信装置で送信することが行われている（例えば、特許文献１）。
【０００４】
特許文献１のクレセント錠は、操作レバー部内に永久磁石とリードスイッチとを収納したものである。台座に対するクレセントの回動により、永久磁石が操作レバー部の長さ方向に移動させられて、リードスイッチに対して遠近させられる。クレセントが所定の回動位置（一般的には施錠位置又は解錠位置）になると、永久磁石の遠近によってリードスイッチのＯＮ・ＯＦＦが切り替えられる。これにより、クレセントが所定の回動位置にあることが検出される。その検出結果を示す電気信号は、リード線等を介して有線接続された警報装置へ送信される。
【先行技術文献】
【特許文献】
【０００５】
【特許文献１】特開２００９−２４９８１７号公報
【発明の概要】
【発明が解決しようとする課題】
【０００６】
しかしながら、特許文献１のクレセント錠は、永久磁石の移動・収納空間やリードスイッチの収納空間を操作レバー部の内部に設ける必要があるため、操作レバー部が大型になり、クレセント錠において特異に目立ってしまう問題がある。
【０００７】
さらに、その操作レバー部から外部へ延びるリード線は、断線しないように弛みをもたせて窓枠沿いに配置する必要があり、リード線が目立ってしまう問題もある。
【０００８】
そこで、この発明が解決しようとする課題は、クレセントの回動位置を検出して外部へ送信可能なクレセント錠を目立ちにくくすることである。
【課題を解決するための手段】
【０００９】
上述の課題を解決するため、この発明は、台座と、前記台座に対して回動可能に連結されたクレセントと、を備え、前記クレセントが、当該クレセントの回動中心の周囲に形成された基盤部と、前記基盤部よりも反台座側に突き出た掛け部と、前記基盤部よりも径方向に突き出た操作レバー部とを有するクレセント錠において、前記台座に対する前記クレセントの回動位置を検出する検出回路と、前記検出回路による検出結果に対応の所定信号を無線送信する無線チップと、前記無線チップの電源となる電池と、前記クレセントに取り付けられたカバーと、をさらに備え、前記検出回路、前記無線チップ及び前記電池が、前記クレセントと前記カバーによって形成される空間に収容されている構成を採用した。
【００１０】
近年、無線チップの小型・省エネルギー化が進んでおり、クレセントの回動位置検出用の検出回路、無線チップ及び電池をコンパクトにまとめることが可能になっている。このため、クレセントとカバーとによって形成される程度の空間であっても、それら電池等を収めることが可能であり、これにより、それら電池等を防護すると共に、目立ちにくくすることができる。また、無線チップ及び電池の採用により、コードレス化することもできる。
【発明の効果】
【００１１】
このように、この発明は、上記構成の採用により、クレセントの回動位置を検出して外部へ送信可能なクレセント錠を目立ちにくくすることができる。
【図面の簡単な説明】
【００１２】
【図１】（ａ）はこの発明の第一実施形態に係るクレセント錠を台座側から示す分解斜視図、（ｂ）は前記（ａ）のクレセント錠を反台座側から示す分解斜視図
【図２】（ａ）は第一実施形態に係るクレセント錠の外観を反台座側かつ掛け部側から示す斜視図、（ｂ）は第一実施形態に係るクレセント錠の外観を反台座側かつカバーの蓋側から示す斜視図
【図３】（ａ）は第一実施形態に係るクレセントを回動範囲の一端に配置したときの正面図、（ｂ）は前記（ａ）のクレセントを回動範囲の他端に配置したときの正面図
【図４】（ａ）は第一実施形態に係る検出回路の正面図、（ｂ）は前記（ａ）の側面図
【図５】図４の検出回路をクレセントに取り付けた状態を示す斜視図
【図６】（ａ）はこの発明の第二実施形態に係るクレセント錠の要部を反台座側から示す部分斜視図、（ｂ）は第二実施形態に係る検出回路と導通部材の閉成状態を示す背面図、（ｃ）は前記（ｂ）からクレセントを１８０°回転させたときの検出回路と導通部材の閉成状態を示す背面図
【図７】（ａ）はこの発明の第三実施形態に係るクレセント錠の要部を反台座側から示す部分斜視図、（ｂ）は前記（ａ）のクレセント錠を台座側から示す部分斜視図、（ｃ）は第三実施形態に係る検出回路と台座側の突起の位置関係を示す背面図、（ｄ）は前記（ｃ）からクレセントを１８０°回転させたときの検出回路と台座側の突起の位置関係を示す背面図
【発明を実施するための形態】
【００１３】
この発明の第一実施形態に係るクレセント錠を添付図面の図１〜図５に基づいて説明する。
【００１４】
図１に示すように、このクレセント錠は、台座１と、クレセント２と、検出回路３と、無線チップ４と、電池５と、カバー６と、永久磁石７と、を備える。
【００１５】
台座１は、クレセント錠を取り付ける際のベースとなる部位であり、図示省略の窓枠等に固定される。台座１は、クレセント２の回動中心となる軸部を支持する軸支穴部１ａと、永久磁石７を保持する嵌合穴１ｂとを有する。
【００１６】
永久磁石７は、円柱状になっている。永久磁石７として、例えば、ネオジム磁石を採用することができる。永久磁石７は、嵌合穴１ｂに対する圧入、接着、磁気吸着等の適宜の手段で台座１に固定すればよい。
【００１７】
図１、図２に示すように、クレセント２は、台座１に対して回動可能に連結されている。クレセント２は、台座１の軸支穴１ａに支持された軸部を中心とし、回動中心回りに１８０°の範囲で回動可能になっている。
【００１８】
以下、クレセント２の回動中心に沿った方向のことを軸方向といい、その回動中心に直角な方向を径方向といい、その回動中心回りの円周方向のことを周方向という。
【００１９】
クレセント２は、クレセント２の回動中心の周囲に形成された基盤部２ａと、基盤部２ａよりも反台座側に突き出た掛け部２ｂと、基盤部２ａよりも径方向に突き出た操作レバー部２ｃとを有する。ここで、反台座側とは、軸方向に台座１から遠ざかる方向のことをいう。
【００２０】
クレセント２の全体は、鋳造によって一体に形成されている。クレセント２の材料としては、例えば、亜鉛ダイキャスト又はステンレス板が一般的である。
【００２１】
基盤部２ａは、図１、図３に示すように、台座側に底壁をもち、反台座側に筒壁をもつ有底円筒状に形成されている。ここで、台座側とは、軸方向に台座１に接近する方向のことをいう。
【００２２】
掛け部２ｂは、基盤部２ａの底壁から周方向に有限長で径方向外方へ延び、その張り出し部分の外周縁から周方向に有限長で反台座側へ突き出ている。その掛け部２ｂの張り出しは、基盤部２ａの筒壁外周と掛け部２ｂとの間にクレセント受（図示省略）を通すようにするためのものである。
【００２３】
操作レバー部２ｃは、基盤部２ａの周方向一部分から径方向外方へ延びている。操作レバー部２ｃは、基盤部２ａの筒壁に連続している。
【００２４】
一般に、クレセント錠は、図３（ａ）に示すように、操作レバー部２ｃの長手方向が上方向になるとき、掛け部２ｂがクレセント受に所定に掛けられた施錠位置となるように、台座１、クレセント受が固定された状態で使用される。この使用状況では、クレセント２は、図３（ａ）に示す施錠位置から解錠回転（図中時計回りの回転）させられ、その解錠回転の限界位置では、図３（ｂ）に示すように、操作レバー部２ｃの長手方向が下向きになる。
【００２５】
図１、図３に示すように、クレセント２には、クレセント２に対するカバー６の取り付けに用いられるねじ挿通部２ｄと、永久磁石７の磁界を基盤部２ａの反台座側へ届かせるための貫通孔２ｅとが形成されている。
【００２６】
ねじ挿通部２ｄは、基盤部２ａの筒壁内周と一連になっている。ねじ挿通部２ｄには、クレセント２と台座１の連結前に、基盤部２ａに対して反台座側からねじ（図示省略）を通すことができる。
【００２７】
貫通孔２ｅは、基盤部２ａの筒壁よりも径方向内方の位置で基盤部２ａを軸方向に貫通している。クレセント２が図３（ａ）の施錠位置にあるとき、貫通孔２ｅは、永久磁石７と軸方向に対向する。
【００２８】
図１、図４に示すように、検出回路３は、台座１に対するクレセント２の回動位置を検出する電気回路である。検出回路３は、回路基板、及び当該回路基板に実装された所要の素子３ａ、電極３ｂ，３ｃによって構成されている。
【００２９】
検出回路３は、磁束密度の変化を電気信号に変換する磁気センサ部３ａを有する。磁気センサ部３ａは、検出回路３の構成要素である回路基板の一方の板面上に配置されている。その回路基板は、その一方の板面を基盤部２ａに向けて配置されている。
【００３０】
図４、図５に示すように、その回路基板の他方の板面上には、電池５の正負極に接触させるための電極３ｂ，３ｃが配置されている。その回路基板は、基盤部２ａの筒壁内周に嵌合している。その回路基板の外周縁に形成された切欠き部と、ねじ挿通部２ｄとの噛み合いによって、その回路基板がクレセント２に対して回り止めされている。その回路基板を軸方向に移動不可とするための固定手段は特に問わないが、例えば、その外周縁において基盤部２ａに接着する、基盤部２ａにねじ止めする等を適宜に採用すればよい。
【００３１】
図１、図３に示すように、磁気センサ部３ａは、クレセント２を所定の回動位置にしたときに永久磁石７と軸方向に対向する。検出回路３は、磁気センサ部３ａで感知した永久磁石７の磁界に基づいて所定の回動位置を検出し、その検出結果に対応の出力信号を生成する。その回動位置は、クレセント２の回動範囲の一端に設定されている。その回動範囲の一端は、図３（ａ）に示すクレセント２の回動位置（前述の施錠位置に対応の回動位置）である。すなわち、磁気センサ部３ａは、貫通孔２ｅを通った永久磁石７の磁界を感知し、その磁界を電気に変換する。
【００３２】
検出回路３は、磁気センサ部３ａで変換された電圧が閾値以上にあるとき、Ｈｉｇｈの検出信号を生成する。したがって、クレセント２が図３（ａ）の施錠位置にあり続ける間、検出回路３は、Ｈｉｇｈ信号を出力し続ける。クレセント２が解錠回転させられて、磁気センサ部３ａで変換された電圧が閾値を下回ると、Ｌｏｗの検出信号を生成する。なお、磁気センサ部３ａに代えて、永久磁石７と軸方向に対向すると作動するようなリードスイッチを採用してもよい。
【００３３】
無線チップ４は、所定の通信プロトコルに基づいて、検出回路３による検出結果に対応の所定信号を無線送信する。無線チップ４は、前述の回路基板の一方の板面上に配置されている。前述の回路基板にはアンテナ４ａも実装されている。アンテナ４ａは、その回路基板を介して無線チップ４と接続されている。なお、アンテナ４ａは、送受信用のものとなっている。
【００３４】
無線チップ４は、９２０ＭＨｚ帯の電波で通信する。このような無線チップ４として、例えば、Ｚ−Ｗａｖｅ（登録商標）に対応のものや、Ｗｉ−ＳＵＮ（登録商標）に対応のものが挙げられる。
【００３５】
検出回路３で生成された検出信号は、回路基板を経て無線チップ４に伝わる。無線チップ４は、解釈した検出信号に対応の所定信号をペイロードに格納し、予め登録された所定の送信先アドレス宛とした伝送データを生成し、その通信機能を用いてアンテナ４ａから送出する。例えば、無線チップ４は、他の通信機器である監視端末と双方向通信を行い、監視端末から、クレセント錠の施解錠状態を問い合わせる要求を受信すると、検出回路３の最新の検出信号に基づいて監視端末へ応答する。
【００３６】
電池５としてコイン電池が採用されている。コイン電池は、円盤状であり、その軸方向両端面に電極をもった一般的なものである。前述の電極３ｂ，３ｃ間に差し込まれた電池５は、前述の回路基板を介して無線チップ４、検出回路３に電力を供給可能になっており、必要に応じて無線チップ４等の電源となる。
【００３７】
図１、図２に示すように、カバー６は、クレセント２に取り付けられている。カバー６は、カバー本体６ａと、蓋６ｂとで構成されている。カバー６は、電波透過性を考慮し、合成樹脂等の非金属材によって形成されている。
【００３８】
カバー本体６ａは、ねじ挿通部２ｄと軸方向に対向するように形成されたねじボス部６ｃと、電池５を径方向に出し入れ可能な交換口部６ｄとを有する。カバー本体６ａは、交換口部６ｄ以外の周方向領域で基盤部２ａの筒壁の先端と合わさる形状になっている。カバー本体６ａは、台座側からのねじ止めによってクレセント２に固定されている。
【００３９】
蓋６ｂは、交換口部６ｄを開閉可能にカバー本体６ａに取り付けられている。その取り付け構造は、蓋６ｂの周方向両端部に形成された爪部と、カバー本体６ａのねじボス部６ｃと、交換口部６ｄ間に形成された爪受け部との係合によるものであり、蓋６ｂを外部から径方向内方へ押し込むことによって当該係合を外すことができる。
【００４０】
カバー本体６ａと電池５との間の中空にアンテナ４ａが配置されている。このため、蓋６ｂを外した状態で電池５を交換口部６ｄから径方向に出し入れする際、電池５がアンテナ４ａに当たらない。
【００４１】
前述の検出回路３、無線チップ４及び電池５が基盤部２ａ上に搭載された配置、すなわち基盤部２ａよりも径方向外方に食み出ない配置とされているため、その配置状態でカバー６がクレセント２に取り付けられると、それら電池５等が基盤部２ａとカバー６によって形成される空間に収められることになる。
【００４２】
第一実施形態に係るクレセント錠は、上述のようなものであり（図１、図２参照）、台座１に対するクレセント２の回動位置を検出する検出回路３と、検出回路３による検出結果に対応の所定信号を無線送信する無線チップ４と、無線チップ４の電源となる電池５と、クレセント２に取り付けられたカバー６とを備え、検出回路３、無線チップ４及び電池５がクレセント２とカバー６によって形成される空間に収容されているので、それら電池５等を防護すると共に目立ちにくくなり、また、コードレスになるので、クレセント錠を目立ちにくくすることができる。
【００４３】
また、このクレセント錠は、検出回路３、無線チップ４及び電池５がクレセント２の基盤部２ａとカバー６によって形成される空間に収容されているので、基盤部２ａの面積を活かしてそれら電池５等をコンパクトにまとめて収容し、これにより、操作レバー部２ｃの大型化を避けることができる。特に、電池５をコイン電池にした場合、薄型でありながら基盤部２ａの面積を活かして電池容量を確保することが可能なため、基盤部２ａとカバー６間に検出回路３及び無線チップ４と共にコンパクトに収容することに好適でありながら、電池寿命の長期化を図ることができる。
【００４４】
また、このクレセント錠は、無線チップ４が９２０ＭＨｚ帯の電波で通信するものであるため、小型、省電力でありながら、実用的な電波到達性を得ることができ、電池５であっても長期に亘ってクレセント錠の施解錠状態を監視することができる。
【００４５】
また、このクレセント錠は、台座１に永久磁石７が固定されており、検出回路３がクレセント２を所定の回動位置にしたときに永久磁石７と対向する磁気センサ部３ａを有し、検出回路３が磁気センサ部３ａで感知した永久磁石７の磁界に基づいて所定の回動位置を検出するので、検出回路３が台座１側と非接触であり、繰り返されるクレセント２の回動によって摩耗するような接点を検出回路３から無くすことができる。このため、このクレセント錠は、耐故障性に優れる。
【００４６】
なお、貫通孔２ｅを非磁性体で塞ぐと、外部の塵埃が貫通孔２ｅを通じて検出回路３に至ることを防止しつつ、永久磁石７の磁界を磁気センサ部３ａまで届かせることができる。
【００４７】
また、このクレセント錠は、カバー６が電池５を径方向に出し入れ可能な交換口部６ｄを有するカバー本体６ａと、交換口部６ｄを開閉する蓋６ｂとを有し、カバー本体６ａと電池５との間に無線チップ４用のアンテナ４ａが配置されているので、電池５を交換することができ、その交換の際、電池５がアンテナ４ａに当たることを避けてアンテナ４ａの損傷を防止することができる。
【００４８】
第一実施形態では、検出回路３として磁気検出方式を採用したが、他の検出方式を採用することも可能である。その一例としての第二実施形態を図６に示す。以下、第一実施形態との相違点を述べるに留め、対応の構成要素には同一符号を用いる。
【００４９】
第二実施形態では、台座１に導通部材８が固定されている。導通部材８は、二股状になっている。クレセント２には、導通部材８の先端部を挿入するためのスリット２ｆが形成されている。スリット２ｆは、基盤部２ａを軸方向に貫通し、かつ周方向に半周以上の有限長に延びている。
【００５０】
検出回路３（以下、適宜に図１参照のこと。）は、図６（ｂ）、（ｃ）に示すように、回路基板の一方の板面上に電極３ｄ，３ｅ，３ｆを有する。電極３ｄは、スリット２ｆと軸方向に対向する円弧状に延びており、導通部材８の二股一方側の先端部と常に接触するように配置されている。電極３ｆは、図６（ｂ）に示すようにクレセント２が回動範囲の他端（解錠位置に対応）にあるとき、導通部材８の二股他方の先端部と接触するように配置されている。電極３ｅは、図６（ｃ）に示すようにクレセント２が回動範囲の一端（施錠位置に対応）にあるとき、導通部材８の二股他方の先端部と接触するように配置されている。
【００５１】
すなわち、図６（ｂ）に示すように導通部材８が電極３ｄ及び電極３ｆに接触すると、検出回路３は、電極３ｄ及び電極３ｆ間で閉成状態になることにより、クレセント２が解錠位置にあることを示す検出信号を生成する。一方、図６（ｃ）に示すように、導通部材８が電極３ｄ及び電極３ｅに接触すると、検出回路３は、電極３ｄ及び電極３ｅ間で閉成状態になることにより、クレセント２が施錠位置にあることを示す検出信号を生成する。
【００５２】
このように、第二実施形態に係るクレセント錠は、台座１に導通部材８が固定されており、検出回路３がクレセント２を所定の回動位置にしたときに導通部材８との接触によって閉成状態になることに基づいて当該所定の回動位置を検出するので、接触方式の検出回路３を軸方向にコンパクトに設けることができる。
【００５３】
なお、検出回路３側の電極３ｄ〜３ｆに代えて、台座側へ突き出た一対の正極と負極をそれぞれ回路基板に固定し、台座側には、クレセントを所定の回動位置にしたときに検出回路側の対の正極と負極間を接続する導通部材を固定するようにしてもよい。
【００５４】
また、スリット２ｆを塞ぎたい場合、検出回路側の電極を台座に向かって露出させるように合成樹脂等の絶縁材で保持し、絶縁材でスリット２ｆと電極間を塞ぐように、絶縁材をスリット２ｆに嵌合、充填等して基盤部２ａに固定すればよい。
【００５５】
第二実施形態では、台座側に導通部材を配置した接触方式の検出回路を採用したが、台座側に導通部材のような導通部を配置しない場合でも接触方式の検出回路を実現することが可能である。その一例としての第三実施形態を図７に示す。なお、以下では、第二実施形態との更なる相違点を述べるに留める。
【００５６】
第三実施形態では、台座１に、基盤部２ａ側へ突き出た突起１ｃが設けられている。突起１ｃを含む台座１の全体は一体に形成されている。
【００５７】
突起１ｃは、周方向に有限長であり、周方向両端から周方向中央側に向かって次第に軸方向に高くなり、周方向に所定幅の中央部で軸方向に一定の高さをもっている。
【００５８】
図７（ｂ）に示すように、検出回路３は、回路基板の一方の板面上に配置されたスイッチ３ｇを有する。スイッチ３ｇは、押しボタンスイッチになっている。スイッチ３ｇは、そのボタンを反台座側に向かって押し込まれると、接点がＯＮに切り替わる（Ｈｉｇｈ信号を生成する）。スイッチ３ｇとして、適宜のマイクロスイッチ、リミットスイッチを採用することができる。
【００５９】
スイッチ３ｇは、図７（ｃ）に示すようにクレセント２が回動範囲の他端（解錠位置に対応）にあるとき、突起１ｃと接触せず、かつ図７（ｄ）に示すようにクレセント２が回動範囲の一端（施錠位置に対応）にあるとき、突起１ｃと接触するように配置されている。
【００６０】
このように、第三実施形態に係るクレセント錠は、台座１に突起１ｃが設けられており、検出回路３がクレセント２を所定の回動位置にしたときに突起１ｃとの接触によって作動するスイッチ３ｇの開閉切り替えに基づいて当該所定の回動位置を検出するので、台座１に導通部を設けることなく、接触方式の検出回路を実現することができる。
【００６１】
なお、今回開示された実施形態はすべての点で例示であって制限的なものではないと考えられるべきである。したがって、本発明の範囲は上記した説明ではなくて特許請求の範囲によって示され、特許請求の範囲と均等の意味および範囲内でのすべての変更が含まれることが意図される。
【符号の説明】
【００６２】
１  台座
１ｃ  突起
２  クレセント
２ａ  基盤部
２ｂ  掛け部
２ｃ  操作レバー部
３  検出回路
３ａ  磁気センサ部
３ｇ  スイッチ
４  無線チップ
５  電池
６  カバー
６ａ  カバー本体
６ｂ  蓋
６ｄ  交換口部
７  永久磁石
８  導通部材
【図１】
2020176465.tif 000003
【図２】
2020176465.tif 000004
【図３】
2020176465.tif 000005
【図４】
2020176465.tif 000006
【図５】
2020176465.tif 000007
【図６】
2020176465.tif 000008
【図７】
2020176465.tif 000009